(57)【要約】  【課題】  面粘着シールの上下表面にラミネートフィルムを粘着させる作業を自動化する両面粘着シールラミネート装置を提供する。  【解決手段】  テーブル上に構成される加工ラインに投入する両面粘着シールを特定のデザインに基づいて裁断する第１裁断部と、該両面粘着テープの切り取り部と、材料側辺部と、切り抜いたデザイン部の第１層剥離紙を剥がす第１剥離部と、該第１層剥離紙を剥がした両面粘着テープと該加工ラインに投入される第１ラミネートフィルムテープとを粘着させる第１粘着ローラセットと、該第１ラミネートフィルムテープと粘着させた両面粘着テープから第２層剥離紙を剥がす第２剥離部と、該両面粘着テープに別途該加工ラインに投入する第２ラミネートフィルムテープを粘着させる第２粘着ローラセットと、該両面粘着テープを製品の仕様に合わせて切断する第２裁断部とを含む。【選択図】  図２
0003115593.tif 000002
【実用新案登録請求の範囲】
【請求項１】
テーブル上に構成される加工ラインに投入する両面粘着シールを特定のデザインに基づいて裁断する第１裁断部と、
廃棄する該両面粘着テープの切り取り部と、材料側辺部と、切り抜いたデザイン部の第１層剥離紙を剥がす第１剥離部と、
該第１層剥離紙を剥がした両面粘着テープと該加工ラインに投入される第１ラミネートフィルムテープとを粘着させる第１粘着ローラセットと、
該第１ラミネートフィルムテープと粘着させた両面粘着テープから第２層剥離紙を剥がす第２剥離部と、
該第２剥離紙を剥がした両面粘着テープに別途該加工ラインに投入する第２ラミネートフィルムテープを粘着させる第２粘着ローラセットと、
該第２ラミネートフィルムテープを粘着させた両面粘着テープを製品の仕様に合わせて切断する第２裁断部とを含むことを特徴とする両面粘着シールラミネート装置。
【請求項２】
前記第１剥離部と第２剥離部の作業領域に、剥離紙を巻き取る巻き取りローラーを設けることを特徴とする請求項１に記載の両面粘着シールラミネート装置。
【請求項３】
前記テーブルの前部と後部には、該第１ラミネートフィルムテープを該加工ラインに投入する材料供給装置を設けることを特徴とする請求項１に記載の両面粘着シールラミネート装置。
【請求項４】
前記テーブルに製品の完成品を集める収集装置を設けことを特徴とする請求項１に記載の両面粘着シールラミネート装置。
【考案の詳細な説明】
【技術分野】
【０００１】
この考案は、両面粘着シールの上下表面にラミネートフィルムを粘着させる作業を自動化する両面粘着シールラミネート装置に関する。
【背景技術】
【０００２】
携帯電話機、パーソナルディジタルアシスト、サテライトナビゲータ、ノートブック型コンピュータ、ディジタルカメラなどのモバイルタイプの装置は、スリム化、軽量化に向かって進化している。よって、例えば図１に開示するように特殊なデザインの両面粘着シールを装置のハウジング、表示パネル、もしくは回路ボードの間の接合に用いる必要がある。図１に開示するシールは使用する対象のデザイン、サイズに合わせて裁断することによって、直接使用することができる。
【０００３】
特殊なデザインで裁断した両面粘着シール１０は、如何なる損傷が存在していてはならず、堅牢な材質のラミネートフィルム２０上に移して貼着する以前において適宜な保護を与えなければならない。特に、両面粘着シール１０切り抜いたデザインを切り抜いたデザインは、切り抜くことによって、薄く、細い部分が出現する、よって、ラミネートフィルムに移して保護、固定を与える方法以外に、ラミネートフィルムで剥離紙の代替とし、貼着する場合デザインの完全性を保持するようにしてもよい。
【０００４】
両面粘着シールの製造業者によって生産される切り抜き模様を有する両面粘着シールは、図１に開示するように両面粘着シール１０の上下表面にラミネートフィルム２０を粘着して本来の剥離紙の代替とする。よって、両面粘着シール１０を包装するか、もしくは貼着する過程において、デザインの完全性と、シールの清潔度を保つことができる。
【０００５】
しかしながら、上述する両面粘着シールの従来の製造方法は、デザインに基づいて裁断した後、手作業でラミネートフィルムを粘着させる。かかる作業は、両面粘着シールの変形を招く場合があり、はなはだしくは一部が塊状になり、不良品となる。これは、材料の浪費になるのみならず、両面粘着シールの歩留まりを高めることができない原因となっている。
【考案の開示】
【考案が解決しようとする課題】
【０００６】
この考案は、粘着シールの裁断、剥離紙の除去、ラミネートフィルムの粘着などの作業を自動化し、両面粘着シールの上下表面にラミネートフィルムを粘着させることのできる両面粘着シールラミネート装置を提供することを課題とする。
【課題を解決するための手段】
【０００７】
そこで、本考案者は従来の技術に見られる欠点に鑑み鋭意研究を重ねた結果、テーブル上に構成される加工ラインに投入する両面粘着シールを特定のデザインに基づいて裁断する第１裁断部と、廃棄する該両面粘着テープの切り取り部と、材料側辺部と、切り抜いたデザイン部の第１層剥離紙を剥がす第１剥離部と、該第１層剥離紙を剥がした両面粘着テープと該加工ラインに投入される第１ラミネートフィルムテープとを粘着させる第１粘着ローラセットと、該第１ラミネートフィルムテープと粘着させた両面粘着テープから第２層剥離紙を剥がす第２剥離部と、該第２剥離紙を剥がした両面粘着テープに別途該加工ラインに投入する第２ラミネートフィルムテープを粘着させる第２粘着ローラセットと、該第２ラミネートフィルムテープを粘着させた両面粘着テープを製品の仕様に合わせて切断する第２裁断部とを含んでなる両面粘着シールラミネート装置によって課題を解決できる点に着眼し、かかる知見に基づいて本考案を完成させた。
【０００８】
以下、この考案による両面粘着シールラミネート装置について具体的に説明する。
請求項１に記載する両面粘着シールラミネート装置は、テーブル上に構成される加工ラインに投入する両面粘着シールを特定のデザインに基づいて裁断する第１裁断部と、
廃棄する該両面粘着テープの切り取り部と、材料側辺部と、切り抜いたデザイン部の第１層剥離紙を剥がす第１剥離部と、
該第１層剥離紙を剥がした両面粘着テープと該加工ラインに投入される第１ラミネートフィルムテープとを粘着させる第１粘着ローラセットと、
該第１ラミネートフィルムテープと粘着させた両面粘着テープから第２層剥離紙を剥がす第２剥離部と、
該第２剥離紙を剥がした両面粘着テープに別途該加工ラインに投入する第２ラミネートフィルムテープを粘着させる第２粘着ローラセットと、
該第２ラミネートフィルムテープを粘着させた両面粘着テープを製品の仕様に合わせて切断する第２裁断部とを含んでなり、かかる構成によって両面粘着シールの上下表面にラミネートフィルムを粘着する作業の自動化を達成することができる。
【０００９】
請求項２に記載する両面粘着シールラミネート装置は、請求項１における記第１剥離部と第２剥離部の作業領域に、剥離紙を巻き取る巻き取りローラーを設ける。かかる構成によって両面粘着シールの上下表面にラミネートフィルムを粘着する作業を順調に行うことができ、作業効率をさらに高めることができる。
【００１０】
請求項３に記載する両面粘着シールラミネート装置は、請求項１における記テーブルの前部と後部に、該第１ラミネートフィルムテープを該加工ラインに投入する材料供給装置を設ける。かかる構成によって両面粘着シールの上下表面にラミネートフィルムを粘着する作業の効率をさらに高めることができる。
【００１１】
請求項４に記載する両面粘着シールラミネート装置は、請求項１におけるテーブルに製品の完成品を集める収集装置を設ける。かる構成によって両面粘着シールの上下表面にラミネートフィルムを粘着する作業の効率をさらに高めることができる。
【考案の効果】
【００１２】
この考案による両面粘着シールラミネート装置は、両面粘着シールの上下表面にラミネートフィルムを粘着する作業を自動化することによって、製品の歩留まりを大幅に高め、不良品を廃棄する ことによって発生する材料の浪費を抑制し、,製造コストを節減するといった利点を有する。
【考案を実施するための最良の形態】
【００１３】
この考案は、両面粘着シールの上下表面にラミネートフィルムを粘着させる作業を自動化する両面粘着シールラミネート装置を提供するものであって、テーブル上に構成される加工ラインに投入する両面粘着シール１１を特定のデザインに基づいて裁断する第１裁断部と、廃棄する該両面粘着テープの切り取り部と、材料側辺部と、切り抜いたデザイン部の第１層剥離紙を剥がす第１剥離部と、該第１層剥離紙を剥がした両面粘着テープと該加工ラインに投入される第１ラミネートフィルムテープとを粘着させる第１粘着ローラセットと、該第１ラミネートフィルムテープと粘着させた両面粘着テープから第２層剥離紙を剥がす第２剥離部と、該第２剥離紙を剥がした両面粘着テープに別途該加工ラインに投入する第２ラミネートフィルムテープを粘着させる第２粘着ローラセットと、該第２ラミネートフィルムテープを粘着させた両面粘着テープを製品の仕様に合わせて切断する第２裁断部とを含んでなり、粘着シールの裁断、剥離紙の除去、ラミネートフィルムの粘着などの作業を自動化するといった目的を実現した。
かかる構成の両面粘着シールラミネート装置について、その特徴を詳述するために、具体的な実施例を挙げ、図面を参照にして以下に説明する。
【実施例】
【００１４】
両面粘着シールラミネート装置は、図２に開示するように、テーブル３０上に第１裁断部３１１と、第１剥離部３１２と、第１粘着ローラセット３１３と、第２剥離部３１４と、第２粘着ローラセット３１５と、第２裁断部３１６とによって加工ライン３１を構成して、完全に自動化された作業を達成する。
【００１５】
加工ライン３１に投入される両面粘着シール１１は、特定のデザインに基づいて裁断し、剥離紙を除去し、ラミネートフィルムテープ（図面に開示する第１ラミネートフィルムテープ２１と第２ラミネートフィルムテープ２２）を粘着し、サイズに合わせて切断する。かかる一貫した自動化作業によって、図１に開示するような所定のデザインを有し、かつ上下表面にラミネートフィルム２０が粘着された両面粘着テープ１０の完成品が得られる。
【００１６】
図３、４に開示するように、加工ライン３１において、先ず第１裁断部３１１が両面粘着テープ１１に予め設定したデザインに基づいて裁断し、次いで第１剥離部３１２が廃棄する両面テープ１１の切り取り部１１１と、材料側辺部１１２と、切り抜いたデザイン部の第１層（もしくは上層）剥離紙１１３を剥がし、さらに第１粘着ローラセット３１３が第１層（もしくは上層）剥離紙１１３を剥がした両面粘着テープと、加工ライン３１に投入された第１ラミネートフィルムテープ２１とを粘着させる。
【００１７】
次に、図５、６に開示するように第２剥離部３１４が両面粘着テープ１１の第２層（もしくは下層）剥離紙１１４を剥がし、さらに第２粘着ローラセット３１５が第２層剥離紙１１４を剥がした両面粘着テープ１１と、別途加工ライン３１に投入される第２ラミネートフィルム２２とを粘着し、最後に第２裁断部３１６が、上下表面にラミネートフィルム２１、２２を粘着させた両面粘着テープ１１を製品の仕様に合わせて切断する。
【００１８】
この考案の両面粘着シールラミネート装置によれば、上述するように、デザインに基づく裁断、剥離紙の除去、ラミネートフィルムの粘着などのすべてのステップを自動化作業によって行い、上下表面のいずれにもラミネートフィルムテープ２１、２２を粘着させた両面粘着シールの製造を完成させることができる。即ち、手作業で切り抜いて不要となった部分を除去したりする必要がなくなり、不良品の発生を抑制することができ、生産性を大幅に高めることができる。
【００１９】
また、この考案のラミネータはテーブル３０の第１剥離部３１２、第２剥離部３１４の作業領域に、剥離紙を巻き取る巻き取りローラー３１７を設けて、廃棄材料が散らばらないようにする。さらに、テーブル３０の前部と後部には第１ラミネートフィルムテープ２１を加工ライン３１に投入する材料供給装置３２と、完成品を集める収集装置３３を設けて自動化作業をさらに完全化する。
【００２０】
以上は、この考案の好ましい実施例であって、この考案の実施の範囲を限定するものではない。よって、当業者のなしえる修正、もしくは変更であって、この考案の精神の下においてなされ、かつこの考案に対して均等の効果を有するものは、いずれもこの考案の実用新案登録請求の範囲に属するものとする。
【図面の簡単な説明】
【００２１】
【図１】両面粘着シールの斜視図である。
【図２】この考案による両面粘着テープラミネート装置の正面図である。
【図３】図１に開示する両面粘着テープラミネート装置の第１剥離部の拡大図である。
【図４】この考案における第１剥離部での動作を示した説明図である。
【図５】図１に開示する両面粘着テープラミネート装置の第２剥離部の拡大図である。
【図６】この考案における第２剥離部での動作を示した説明図である。
【符号の説明】
【００２２】
１１      両面粘着シール
１１１    切り取り部
１１２    材料側辺部
１１３    第１層（もしくは上層）剥離紙
１１４    第２層（もしくは下層）剥離紙
２１、２２   ラミネートフィルムテープ
３０      テーブル
３１      加工ライン
３１１    第１裁断部
３１２    第１剥離部
３１３    第１粘着ローラセット
３１４    第２剥離部
３１５    第２粘着ローラセット
３１６    第２裁断部
３１７    巻き取りローラー
３２      材料供給装置
３３      収集装置
【図１】
0003115593.tif 000003
【図２】
0003115593.tif 000004
【図３】
0003115593.tif 000005
【図４】
0003115593.tif 000006
【図５】
0003115593.tif 000007
【図６】
0003115593.tif 000008